(57)【要約】  本発明は、DALI技術に対して優先順位という概念を導入する。ここで使用される開閉装置（１８）は、２つの入力側（２８，２２）と、１つの出力側（２４）とを有しており、前記２つの入力側（２８，２２）には、それぞれ１つのDALIバス（３８，４０）が、前記出力側（２４）には、１つのDALIバス（２６）が接続されている。データ処理ユニット（５６）は、前記２つの入力側（２８，２２）を介して到着した複数の信号を受信し、予め設定された基準に基づいて前記信号に優先順位を割り当て、前記信号を、該信号自身の優先順位に基づいて前記出力側（２４）へと導く。これにより信号は、最終的に電子安定器（１４）へと導かれる。開閉装置（１８）、とりわけデータ処理ユニット（５６）は、種々異なる命令、例えば中央ビル制御命令とローカル制御命令とが衝突する際、優先順位を与えることにより、どの命令が実行されるべきかを決定する。
2009544130.tif 000002
【特許請求の範囲】
【請求項１】
２つの入力側（２８，２２）と、１つの出力側（２４）と、データ処理ユニット（５６）とを備える開閉装置（１８）において、
前記２つの入力側（２８，２２）には、それぞれ１つのDALIバス（３８，４０）が接続されており、
前記出力側（２４）には、１つのDALIバス（２６）が接続されており、
前記データ処理ユニット（５６）は以下のように構成されている、すなわち前記２つの入力側（２８，２２）を介して到着した複数の信号を受信し、予め設定された基準に基づいて前記信号に優先順位を割り当てるように構成されており、
前記信号は、該信号自身の優先順位に基づいて前記出力側（２４）へと導かれる、
ことを特徴とする開閉装置。
【請求項２】
複数の前記信号を一時的に記憶するためのメモリ（５８）を備える、
ことを特徴とする請求項１記載の開閉装置。
【請求項３】
前記開閉装置は、応答信号を、前記出力側（２４）を介して受信するように構成されており、
前記応答信号は、少なくとも前記２つの入力側（２８，２２）の１つに転送される、
ことを特徴とする請求項１または２記載の開閉装置。
【請求項４】
前記データ処理ユニット（５６）は、前記応答信号を、所定の時点で入力側（２８，２２）に転送するように構成されており、
前記所定の時点は、既に前記入力側を介して受信した信号の優先順位に応じて定められる、
ことを特徴とする請求項３記載の開閉装置。
【請求項５】
前記開閉装置は、時計を含み、
前記データ処理ユニット（５６）は、時間に基づいて優先順位を割り当てるように構成されている、
ことを特徴とする請求項１から４のいずれか一項記載の開閉装置。
【請求項６】
前記データ処理ユニット（５６）は、信号を介して伝達された命令タイプを識別し、該命令タイプに基づいて優先順位を割り当てるように構成されている、
ことを特徴とする請求項１から５のいずれか一項記載の開閉装置。
【請求項７】
前記データ処理ユニット（５６）は、個々の信号の到着順序に基づいて優先順位を割り当てるように構成されている、
ことを特徴とする請求項１から６のいずれか一項記載の開閉装置。
【請求項８】
前記データ処理ユニット（５６）は、所定の信号に対する優先順位を以下のようにして割り当てるよう構成されている、すなわち、
所定の信号よりも前に該所定の信号と同じ入力側を介して受信された信号があるかどうか、そしてどの信号が、前記所定の信号より前に該所定の信号と同じ入力側を介して受信されたのか、に基づいて優先順位を割り当てるように構成されている、
ことを特徴とする請求項１から７のいずれか一項記載の開閉装置。
【請求項９】
異なる入力側を介して到着した２つの入力信号から、ただ１つの出力信号を形成するように構成されている、
ことを特徴とする請求項１から８のいずれか一項記載の開閉装置。
【請求項１０】
請求項１から９のいずれか一項記載の開閉装置と、光調節ユニットとを備える開閉・光調節装置において、
前記光調節ユニットは、前記開閉装置の２つの入力側のうちの第１入力側と内部で接続されており、
前記開閉・光調節ユニットは、前記開閉装置の前記第１入力側および出力側に加えて、ランプのローカル制御のためのセンサおよび／または操作素子を接続する手段を有する、
ことを特徴とする開閉・光調節装置。
【請求項１１】
ランプ（１６）制御システム（１２）であって、
請求項１から９のいずれか一項記載の開閉装置（１８）と、光調節ユニット（３４）を備えるローカル光調節システムと、少なくとも１つの電子安定器（１４）とを備える
形式のシステムにおいて、
前記光調節ユニット（３４）は、DALIバス（３８）を介して、前記開閉装置（１８）の２つの入力側のうちの第１入力側（２２）と接続されており、
センサ（３２）および／またはランプ（１６）のローカル制御のための操作素子（３０）が、前記光調節ユニット（３４）に接続されており、
前記少なくとも１つの前記電子安定器（１４）には、ランプ（１６）が接続されており、
前記開閉装置（１８）の出力側（２４）は、DALIバス（２６）を介して各電子安定器（１４）に接続されており、
前記開閉装置（１８）の２つの入力側（２２，２８）のうちの第２入力側（２８）は、同時にランプ制御システム（１２）の入力側となっており、
該システム（１２）は外部のDALIバス（４０）に接続される、
ことを特徴とするシステム。
【請求項１２】
少なくとも１つの照明器具を備えるビルのための光制御システム（１０）であって、
第１バス（４４）と、ゲートウェイ（４６）と、DALIバス（４０）と、少なくとも１つの請求項１１記載のランプ制御システム（１２）と、中央制御装置（４２）とを備える
形式のシステムにおいて、
前記第１バス（４４）は、DALIの種々異なる規格に従っており、
前記ゲートウェイ（４６）は、前記第１バスへのインターフェース（４８）と、DALIインターフェース（５０）とを備えており、
前記中央制御装置（４２）は、前記第１バス（４４）に接続されており、該第１バス（４４）と、前記ゲートウェイ（４６）と、前記DALIバス（４０）を介して、前記ランプ制御システム（１２）の前記開閉装置（１８）へと制御信号を送信する、
ことを特徴とするシステム。
【請求項１３】
照明制御方法において、以下の個々のステップを含む：
・照明器具のローカル制御のために、光調節ユニット（３４）は、ローカル操作素子（３０）の操作に基づいて、もしくはローカルセンサ（３２）の信号に基づいて、第１制御信号を、第１DALIバス（３８）を介して開閉装置（１８）に送信し、
・複数の照明器具に同時に介入制御するために、第２制御信号が、DALIバスとして構成された第２バス（４０）を介して前記開閉装置（１８）に送信され、
・前記開閉装置（１８）は、前記第１制御信号と前記第２制御信号とに、所定の基準に基づいてそれぞれ優先順位を割り当て、少なくともまず始めに、より高い優先順位を備えた制御信号だけを、少なくとも１つの電子安定器（１４）に転送し、
該電子安定器（１４）は、前記制御信号をさらに処理し、照明器具（１６）のための出力信号を送信する、
ことを特徴とする照明制御方法。
【請求項１４】
第１の所定の時間においては第１の制御信号により高い優先順位が割り当てられ、第２の所定の時間においては第２の制御信号により高い優先順位が割り当てられる、
ことを特徴とする請求項１３記載の照明制御方法。
【請求項１５】
前記開閉装置（１８）は、複数の前記制御信号と共に伝達される種々異なる命令タイプを識別し、
優先順位は、前記第１制御信号および前記第２制御信号にある命令タイプに基づいて割り当てられる、
ことを特徴とする請求項１４記載の照明制御方法。
【請求項１６】
前記開閉装置は、時間的に先行して到着した信号に基づいて優先順位を割り当てる、とりわけ先に到着した信号に優先順位を割り当てる、
ことを特徴とする請求項１４記載の照明制御方法。
【発明の詳細な説明】
【技術分野】
【０００１】
技術分野
本発明は、開閉装置と、複合型の開閉・光制御装置と、このような開閉装置が使用されるランプの制御システムと、少なくとも１つの照明器具を備えるビルのための光制御システムとに関する。本発明はさらに、照明器具の制御方法に関する。本発明は、DALI技術の分野に属する。DALIは、「Digital Addressable Lighting Interface」、すなわちデジタルアドレス指定可能な照明インターフェースである。
【０００２】
従来技術
このDALI技術は、広く普及した技術であり、複数の照明器具を制御する際に使用される。DALI技術はとりわけ、多数の照明器具を制御すべきビルシステムに使用される。また個々の部屋において照明器具を制御するためにも、このDALI技術を使用することは意義深いだろう。
【０００３】
ビルシステムにおいては、照明器具の中央制御が照明器具のローカル制御と対立することが多い。とりわけスタンドランプにおいては、別個に点灯でき、別個に減光できることがよく望まれる。所定の場所（例えば事務デスク）に人がいるか否かを検知するヒト検知センサを設けることも可能である。スタンドランプを、ローカル情報に基づいて点灯ないし消灯したり、減光したりすることも可能である。例えば勤務時間の終了後、ビル内にいた人が照明器具を消灯しないでそのビルを退去してしまった場合に、全ての照明を消灯させるということも意義深い。また例えばビルの清掃サービスが行われる時間に、一斉に全ての照明器具を点灯するということも有利である。これは清掃人が、手で一つ一つ点灯し、後に再び消灯する必要を省略するためである。
【０００４】
従来技術では、照明器具を制御するためのローカル制御素子（スイッチおよびセンサ）は全て、ビルシステムのただ１つのバスに接続されている。したがって制御が非常に複雑になっており、プログラムコストも高くなっている。このようなローカル制御素子の存在に関連して個別的に変更する場合、コストをかけてプログラマーにビル制御システムをプログラム変更して貰わなければならない。
【０００５】
さらに不利なことに、このDALI技術はマスタースレーブシステムであり、コリジョンコンフリクトマネージメントがない。したがって以下の課題が未解決である。すなわちローカル制御命令とビル全体に関する制御命令とが両方同時に存在する場合、ローカル制御命令に従うべきか、またはビル全体に関する制御命令に従うべきかをDALI制御システムは決定できない、という課題が解決されていないのである。
【０００６】
本発明の説明
本発明の課題は、DALI技術を使用するビル制御システムによって、制御をよりフレキシブルにする手段、例えば照明のローカル切換も中央切換もできる手段を提供し、これと同時にビルシステムが簡単に構成されるように保証することである。
【０００７】
この課題は、請求項１記載の開閉装置と、請求項１０記載の複合型の開閉・光制御装置と、請求項１１記載のランプの制御システムと、請求項１２記載の少なくとも１つの照明器具を備えるビルのための光制御システムと、請求項１３記載の照明器具の制御方法によって解決される。
【０００８】
本発明の開閉装置は、２つの入力側と１つの出力側を有する。これらの入力側にはそれぞれ１つのDALIバスを接続することができ、出力側にもDALIバスを接続することができる。さらにこの開閉装置はデータ処理ユニットを含み、このデータ処理ユニットは、上記２つの入力側を介して到着する信号を受信し、予め設定された基準に基づいてこれらの信号に優先順位を割り当てる。これらの信号は、これらの信号自身の優先順位に応じて出力側に導かれる。
【０００９】
このように開閉装置によって、DALI技術のために、優先順位という概念が導入されるのである。優先順位を使用することにより、コリジョンコンフリクトが解消される。２つの入力側を設けることにより、制御するために２つのDALIバスを使用することが可能となる。第1のDALIバスは、ローカル制御が可能となるよう選択され、第２のDALIバスは、中央制御が可能となるよう選択される。したがって、キースイッチやセンサ等のローカル素子を第１DALIバスに接続することができ、これらのローカル素子は第２DALIバスから独立する。したがって、ローカル制御を、中央制御を介して行う必要が無くなり、中央制御とは独立して行うことができるようになるので、中央制御の負荷が軽くなる。このシステムの構成は、非常に簡単でコンパクトである。
【００１０】
開閉装置は有利には、複数の信号を一時的に記憶するためのメモリを含む。これにより、２つの入力側を介して受信した信号をひとまず受け取り、合わせて到着する別の信号を待つことが可能となる。所定の時間後に、２つの入力側から同時に信号が到着しているという状況が発生することがあるため、優先順位の決定は特に有利である。とりわけ、後に到着する信号の方により高い優先順位を与え、先に到着した信号よりも時間的に前に出力側へ転送することも可能である。
【００１１】
メモリを備える実施形態は、以下の別の有利な実施形態と関連させると有利である。この別の有利な実施形態によれば、開閉装置は、応答信号を出力側を介して受信するように構成されており、この応答信号を２つの入力側の一方に転送することができる。このケースは、入力側を介して供給された信号が所定の問い合わせを含む場合にしばしば発生する。このような問い合わせの典型的な例は、所定の照明器具が動作可能か否かの問い合わせである。応答信号を受信することができるこの実施形態を、メモリを備える実施形態と組み合せると有利である。なぜなら出力側としても機能するこれら２つの入力側が空くまで、この応答信号を記憶しておくことが可能となるからである。開閉装置自らこのような問い合わせを規則的に送信し、応答を記憶しておき、開閉装置に問い合わせが到着すると、この応答は既に準備完了した状態になっており、すぐに送信できる、ということも可能である。
【００１２】
メモリを備える実施形態の有利な発展形態においては、データ処理ユニットが以下のように構成されている。すなわちこのデータ処理ユニットは、一方の入力側に、所定の時点で応答信号を転送するように構成されているのである。応答信号を転送する所定の時点は、既に入力側を介して受信した信号の優先順位に応じて定められる。これにより応答信号を転送する時点を、転送する方向が対立しないように選択することができる。なぜなら、入力側でデータを受信するか、もしくはこれらの入力側を介してデータを送信するかは、優先順位によって決定されるからである。応答信号を転送する際に優先順位を使用することも有利である。なぜなら、応答信号の形成に至る経緯を考慮することができるからである。例えば緊急の問い合わせの場合、この問い合わせは２つの入力側のうちの１つを介して供給され、優先権を獲得し、出力側へと供給される。相応にして応答信号も迅速に到着し、もう一方の入力側を介して到着した信号が転送される前に、またこの信号が何らかの反応を引き起こす前に、この応答信号が返信されることとなる。
【００１３】
有利な実施形態では、開閉装置は時計を有しており、データ処理ユニットは時間に基づいて優先順位を割り当てる。優先順位を、以下のようにもっぱら時間に基づいて割り当てることができる。すなわち、所定の時間においては２つの入力側のうちの第1入力側が優先権を獲得し、別の時間においては２つの入力側のうちの第2入力側が優先権を獲得するようにすることができるのである。優先順位を時間の他に、信号の種類に基づくようにすることもできる。
【００１４】
信号の種類に基づく優先順位の割り当ては、とりわけデータ処理ユニットが以下のように構成された実施形態と関連させると有利である。すなわちデータ処理ユニットが、信号によって伝達された命令タイプを識別し、この命令タイプに基づいて優先順位を割り当てるように構成されている実施形態と関連させると有利である。この実施形態によれば、所定の入力側を介して到着した信号が優先権を獲得するという決まりが阻止される。これらの信号が本当により高い優先順位を割り当てるべき信号であるか否かが、何度もチェックされるのである。時間に基づく優先順位の決まりと関連させて、この実施形態を例えば以下のように使用することができる。すなわち上述のように、基本的には２つの入力側のうちの１つが優先権を獲得するのだが、所定の命令タイプはさらにより高い優先権を獲得するようにすることができる。したがってこの所定の信号は、時間に基づく決まりを打ち負かすことができるのである。このことは、１つのビルにおいて所定の時点に全ての光が消灯されるように決められている場合において、そのビルにいる人物が光を再び点灯させたいというときに有利である。この再点灯は、全ての照明器具を消灯するという基本命令よりも優先されるのである。
【００１５】
別の有利な実施形態では、データ処理ユニットは、優先順位を、個々の信号の到着順序に基づいて割り当てるように構成されている。このように、とりわけ上記のメモリを用いて、第１入力側を介して到着した信号を保管しておき、第２入力側を介しても信号が到着するか否かを待つことができる。その後に、後から来た信号に優先権を与えるか、もしくは先に到着した信号をまず転送して、後に到着した信号を保留する。すなわち出力側に全く供給しないか、もしくは格段に後の時点に出力側に供給するのである。
【００１６】
別の有利な実施形態では、データ処理ユニットは、所定の信号に対する優先順位を以下のようにして割り当てるよう構成されている。すなわちこの所定の信号よりも前に該所定の信号と同じ入力側を介して受信された信号があるかどうか、またとりわけどの信号が、前記所定の信号より前に該所定の信号と同じ入力側を介して受信されたのか、に基づいて優先順位を割り当てるように、このデータ処理ユニットが構成されているのである。この実施形態は、若干面倒な制御命令シーケンスを送信する場合に有利である。２つの入力側の１つを介してこのようなシーケンスがまさに実行されているときには、別の第２入力側の信号がより高い優先順位を有しているからといって、この第２入力側の信号を先に転送するよう変更するようなことは、有利ではないだろう。この実施形態は、信号に含まれる命令タイプを識別するだけでなく、所定の命令タイプの命令シーケンスを識別するという点で発展している。このようにして例えば、第１信号シーケンスを、第２信号シーケンスよりも優先させることができる。
【００１７】
本発明のランプ制御システムは、本発明の開閉装置と、光調節ユニットを備えるローカル光調節システムと、少なくとも１つの電子安定器とを有する。光調節ユニットは、DALIバスを介して、開閉装置の２つの入力側のうち第１入力側と接続されており、センサおよび／またはランプのローカル制御のための操作素子も、この光調節ユニットに接続されている。少なくとも１つの前記電子安定器には、ランプが接続されており、開閉装置の出力側は、DALIバスを介して各電子安定器に接続されている。さらに開閉装置には第２入力側も設けられている。この第２入力側は、同時にこのランプ制御システムの入力側となっており、このシステムは全体として外部のDALIバスに接続することができる。
【００１８】
このようなランプ制御システムを設けることにより、とりわけ開閉装置と関連して既に述べたコンパクトでコストの低いビル制御システムを構築することができる。ランプ制御システムは、ランプ（または少なくとも一つの照明器具を共に形成する複数のランプ）に割り当てられたユニットである。ビルの一室内に、それぞれ１つまたは複数のこのようなランプ制御システムを配置することができる。したがってこのランプ制御システムは、ローカルのモジュールである。
【００１９】
別の有利な実施形態では、開閉装置は、異なる入力側を介して到着した２つの入力信号から、ただ１つの出力信号を形成するように構成されている。この機能は、第１入力側を介して到着する信号と、第２入力側を介して到着する信号とに異なる優先順位を割り当てることが困難である場合にとりわけ重要となりうる。これは例えば、異なる信号が２つの入力側を介して非常に短い時間内に到着するときなどである。このように、開閉装置は時計を用いて、いつ個々の信号が到着するかを検出する。信号の目標時間間隔に対して、最短期間が定められる。最短期間を下回る場合、信号はほとんど同時に到着したものと解釈され、妥協策として１つの出力信号が形成される。この出力信号は、２つの入力側に到着した複数の入力信号内にある伝達された命令にとって、ある意味では充分である。このための例としては、所定の時間に中央で全ての照明器具の光を消灯し、同時に操作者が所定の照明器具を点灯させるという場合がある。妥協策として、指定された照明器具を減光するよう操作することもできる。これによって操作者は、以前の状態に対する変化を認識し、操作行為が行われたことを知る。操作行為が行われると同時に、ビル全体の照明を抑制する基本的な決まりは守られる。
【００２０】
開閉装置はローカルに配置されているから、ローカルのモジュールには、別の機能、すなわち光制御装置を追加することができる。これにより、複合型の開閉・光調節装置が得られる。この複合型の開閉・光調節装置は、開閉装置の２つの入力側の１つだけと、１つの出力側とを含む。内部において、これまでの第２入力側は、光調節ユニットと接続されている。この内部の接続は、DALI機能を使用しなくてもよい。第２入力側のかわりに、ランプのローカル制御のためのセンサおよび／または操作素子を接続することもできる。
【００２１】
請求項１２記載のように、ローカルのモジュール、すなわち開閉装置または開閉・光制御装置は、有利には、少なくとも１つの照明器具を備えるビルのための光制御システムと関連させて使用される。光制御システムは、DALIの種々異なる規格（例えばLON、Local Operating Network またはEIB、European Installation Bus）の１つに従った第１バスを含む。第１バスには、この第１バスへのインターフェースを介してゲートウェイが接続されている。ゲートウェイは、DALIインターフェースを有しており、このDALIインターフェースにDALIバスが接続されている。このDALIバス自身には、上述した開閉装置の第２入力側によってランプ制御システムを接続することができる。光制御システムは、第１バスに接続された中央制御ユニットを含む。光制御システムを操作すると、この中央制御ユニットは、第１バスと、ゲートウェイと、DALIバスとを介して、ランプ制御システムの中にある本発明の開閉装置へと制御信号を送信する。
【００２２】
本発明の照明制御方法は、以下の個々のステップを含む：一方では、照明器具のローカル制御のための光調節ユニットは、ローカル操作素子（典型的にはスイッチ）の操作に基づいて、もしくはローカルセンサ（例えば存在を検出するセンサ；熱センサまたはカメラ）の信号に基づいて、第１制御信号を、第１DALIバスを介して開閉装置に送信する。これとは独立して、第２制御信号が、第２DALIバスを介してこの開閉装置に送信される。第２制御信号も、照明器具の制御のために使用され、ここでは中央制御、すなわち複数の照明器具に同時に介入することができるような制御とすることができる。開閉装置は、第１制御信号と第２制御信号とに、所定の基準に基づいてそれぞれ優先順位を割り当て、（少なくともまず始めに）より高い優先順位を備えた制御信号だけを、少なくとも１つの電子安定器に転送する。この電子安定器自体は、制御信号をさらに加工処理し、照明器具のための出力信号を送信する。本発明の方法によれば、優先順位を割り当てることによって、第１および第２の制御信号を、互いに独立して形成することができる（最終的には開閉装置に送信することができる）。優先順位の割り当てにより、起こりうるコリジョンコンフリクトが解消される。
【００２３】
有利な実施形態の方法では、第１の所定の時間においては第１の制御信号により高い優先順位が割り当てられ、第２の所定の時間においては第２の制御信号により高い優先順位が割り当てられる。このような実施形態は特に簡単であり、以下の事実を考慮している。すなわち照明器具のローカル制御は、それぞれのビルの中に人がいるときに重要であり、中央制御、つまり複数の照明器具に同時に介入するような制御は、ビル内に人がいないときに重要である、という事実を考慮しているのである。しかしこの目的のためには、典型的な時間が存在する。
【００２４】
別の有利な実施形態では、開閉装置は、制御信号と共に伝達される種々異なる命令タイプを識別する。優先順位は、第１および第２制御信号にあるこれらの命令タイプに基づいて割り当てられる。この実施形態は非常にフレキシブルである。なぜなら、命令が多数ある場合に以下のことが可能となるからである。すなわち、ローカル制御が優先権を獲得することもあるが、このことを基本的に全ての命令の種類に当てはめる必要はなく、中央制御が優先権を獲得することもある、ということが可能となるからである。
【００２５】
別の有利な実施形態の方法では、制御装置は、時間的に先行して到着した信号に基づいて優先順位を割り当てる。このときとりわけ、先に到着した信号に対して早い優先順位を割り当てるよう考慮することができる。この有利な実施形態は、典型的には所定の信号シーケンスが使用されるときにとりわけ有利である。例えばある信号シーケンスが最初に優先権を獲得した場合、この信号シーケンスが続く間は、この信号シーケンスが優先権を保持するのである。
【００２６】
以下、本発明の有利な実施形態を図に関連して説明する。
【図面の簡単な説明】
【００２７】
【図１】ビルのための光制御システムを概略的に示す図である。
【００２８】
本発明の有利な実施形態
図は、ビルのための光制御システムを示し、全体を参照符号１０で示す。ビルの各照明に対して、それぞれ制御システム１２がローカルに設けられている。図には、２つの制御システム１２が示されている。これらの制御システムの間にある複数のドットは、このようなシステムを多数設けることができるということを表している。ここでは２つの制御システム１２が同じ形態で図示されているが、これらの制御システムは、全て同じ形態でなくてもよい。制御システム１２は、それぞれ２つの電子安定器１４を含み、これらの電子安定器１４は、それぞれ照明器具と接続されている。照明器具は、例えば２つのランプ１６を含む。それぞれの制御システム１２において２つのランプ１６を破線によって区切っているのは、これらが一緒に１つの照明器具を形成しているということを表している。さらに制御システム１２は、開閉装置１８を含む。開閉装置１８は、３つのDALIインターフェースを有しており、第１インターフェース２２および第２インターフェース２８は、DALI入力側を提供し、第３インターフェース２４はDALI出力側を提供している。この出力側、すなわちDALIインターフェース２４にはDALIバス２６が接続されており、このDALIバス２６には、DALIインターフェース２８を備える電子安定器１４が接続されている。
【００２９】
さらに制御システム１２は、照明器具の付近にローカルに配置された素子、すなわちキースイッチないし光スイッチ３０とセンサ３２とを含む。
【００３０】
ここでは２つの素子が図示されているが、基本的に、２つの素子３０または３２のうち１つで十分である。キースイッチ３０は、それぞれ従来の光スイッチのように、ランプを点灯および消灯する機能を果たす。センサ３２は、ランプによって照射された範囲の中に人が存在するか否かを検出する。このセンサ３２はカメラとすることができる。温度センサおよび光センサを使用することもできる。キースイッチ３０およびセンサ３２は、光調節ユニット３４と接続されており、この光調節ユニット３４は、素子３０および３２から送信された信号を選び出し、電子安定器１４のための制御信号に変換する。光調節ユニット３４は、DALIインターフェース３６を有しており、DALIバス３８を介して開閉装置１８の入力側と、すなわちここではDALIインターフェース２２と接続されている。このようにして制御信号は、光調節ユニット３４から、開閉装置１８を介して出力側２４へと導かれる。このようにして、照明器具をローカル制御する手段が提供される。
【００３１】
同時に中央制御を可能にするために、開閉装置の別の入力側、すなわちDALIインターフェース２８に、DALIバス３８（およびもちろんDALIバス２６）とはそれぞれ独立した別のDALIバス４０が設けられている。このDALIバス４０は、複数の照明器具を包括する１つのバスであり、このためDALIバス４０は、有利には建築部材にわたって伸長している。照明の中央制御は、制御装置４２によって調節され、この制御装置４２は、ビルの制御に関連した別のタスクを実行することができる。例えばブラインド制御やヒータ制御に関連したタスクである。制御装置４２のタスクは光の制御だけに限定されないため、制御装置４２は、DALIバスとは異なるバス４４に、インターフェース４６，４６’を介して接続されている。このバス４４は、例えばLONバス（Local operating network）またはEIB（European Installation Bus）とすることができる。バス４４とDALIバス４０とを接続するためにゲートウェイ４６が使用され、このゲートウェイ４６は、バス４４へのインターフェース４８と、DALIバス４０へのインターフェース５０とを有する。したがってゲートウェイ４６は、バス４４を介してゲートウェイ４６に到着する信号を、DALIバス４０を介して送信される信号に変換し、またその逆にも変換する。バス４４において別の機能を設けることができる。例えばここでは、キースイッチ、すなわちキースイッチ５２またはセンサ５４を設けることができる。キースイッチ５２およびセンサ５４は、例えばビルのエントランスに配置される。このビルに入る人は、既にこのビルのエントランスにおいて、キースイッチ５２によってビル内の照明器具を点灯させることができる。これに代えてセンサ５４を用いて、ビルに人が入って来たことを検知することができ、例えば廊下等にある選択された照明器具をアクティベートすることができる。制御装置４２は、これら中央のタスクを管理し、相応の制御命令を発する。
【００３２】
開閉装置１８には、インターフェース２８を介して第1の制御命令が到着し、インターフェース２２を介して第２の制御命令が到着する。中央制御命令は、ローカル制御命令と衝突することがある。開閉装置１８は、データ処理ユニット５６（CPU、中央演算ユニット）を有し、このデータ処理ユニット５６は、どの信号をいつ出力インターフェース２４に転送するかを決定する。このために、データ処理ユニットには基準がファイルされている。データ処理ユニットは、制御信号における所定の命令タイプを識別するように構成されている。ある所定の命令タイプは基本的に優先され、別の所定の命令タイプは前記所定の命令タイプよりも優先されるが、予め設定されていない別の第２命令タイプや、多くの命令タイプは、基本的に優先されない。
【００３３】
データ処理ユニット５６はメモリ５８（メモリ「M」）と共働し、いくつかの命令タイプを、例えば所定の時間まで後回しにすることができる。
【００３４】
データ処理ユニット５６を巧みにプログラミングすることによって、以下のことが可能となる。すなわち、一方では制御装置４２が形成し、DALIバスを介してDALIインターフェース２８に到着する制御信号と、他方ではキースイッチ３０の操作またはセンサ３２のアクティベートに基づいて光調節ユニット３４により形成される制御信号との間に起こりうる衝突を解消することができるのである。
【００３５】
開閉装置１８によって初めて、中央制御（制御装置４２）とローカル制御（光調節ユニット３４）との競合が可能となる。これにより多種多様なシーンを実現できる。例えばオフィスビルにおいて、このオフィスビルに勤務する人がこのビルを立ち去る時刻に応じて優先順位を設定することは意義深い。勤務時間中は、ローカル制御（光調節ユニット３４）が基本的に優先され、勤務時間外には中央制御（制御装置４２）が優先されるようにすることができる。別の例として例えば、まず始めに優先順位のより高い命令が所定の時刻に実行され、その後再び停止されるようにすることもできる。また例えば、オフィスビルにおいて、全ての照明が１９時に消灯されるようにすることができる。もし１９時５分に誰かがキースイッチ３０を操作すると、すなわち照明を点けようと望むと、相応の命令がつながれ、ローカルにおいて相応の照明機器が再びアクティベートされる。その一方で、オフィスビルの他の全ての照明機器は消灯されたままである。
【００３６】
この開閉装置１８の構成によれば、データは逆方向に流れることも可能である。したがって例えば制御装置４２は、規則的な時間間隔で電子安定器１４に問い合わせを送信し、ランプ１６が故障していないかどうかを検出することができる。また電子安定器１４からの相応する応答をメモリ５８に一時的に記憶させ、全く所定の時間に、例えばDALIインターフェース２８を介して到着した信号が優先である場合には、DALIインターフェース２８を介してDALIバス４０に、さらにゲートウェイ４６を介して制御装置４２へと導くことができる。
【００３７】
ここでは開閉装置１８および光調節ユニット３４が別個のユニットとして示されているが、これらを１つのユニットに実現することも可能である。このようにすれば複合型の開閉・光調節装置が得られ、この複合型の開閉・光調節装置は、外部に対しては１つの入力側２８と１つの出力側２４だけを有し、さらにキースイッチ３０またはセンサ３２に接続することができる。内部接続はDALIバス３８を必要としない。
【００３８】
本発明は初めて、ローカル制御と中央制御とが互いにフレキシブルに補完し合うビルのための光制御システムを提供する。このために、ランプ制御システム１２が（ランプ１６とともに、またはランプ１６なしで）それぞれローカルに設けられる。このとき開閉装置１８のインターフェース２８は、同時にこの制御システム１２全体の入力側となる。バス４４、ゲートウェイ４６，DALIバス４０を備える、ビルに実現されるその他のバス構造は、非常に簡単である。従来技術では、例えばキースイッチ３０またはセンサ３２のようなローカル素子は、ビルのバス（バス４０に相当）に直接接続されていたが、本発明によれば、このローカル制御は、中央制御装置４２から完全に独立して、すなわち光調節ユニット３４によって行われる。
【図１】
2009544130.tif 000003
【国際調査報告】
2009544130.tif 000004
2009544130.tif 000005
2009544130.tif 000006
2009544130.tif 000007